(57)【要約】【課題】  外装板の外れやズレを防止する新規な外装板の巻き付け構造を提供することにある。【解決手段】  板材を配管の長手方向に連接するように巻き付ける外装板の巻き付け構造にあって、外装板１０の配管長手方向の両端部は、鋭角に折曲して相互に係合可能なハゼ部１１，１２を備えるとともに、隣り合う外装板１３とハゼ部１４を重ねながら、ハゼ部１１，１２，１４に１か所切込み１６を形成し、この切込み１６を介して重なったハゼ部１１，１２，１４の一部分を折り返したハゼ連結部１７を備えたことを特徴とするものである。【選択図】  図１
2014059006.tif 000002
【特許請求の範囲】
【請求項１】
板材を配管の長手方向に連接するように巻き付ける外装板の巻き付け構造であって、
各外装板の配管長手方向の両端部は、鋭角に折曲して相互に係合可能なハゼ部と、
隣り合う外装板と配管周方向の端部を重ねながら、ハゼ部に１又は２か所の切込みを形成し、この切込みを介して重なったハゼ部の一部分を折り返したハゼ連結部とを備えたことを特徴とする外装板の巻き付け構造。
【請求項２】
切込みは１か所であり、隣り合う外装板のハゼ部と重なり合う内側若しくは隣り合う外装板のハゼ部との境外となる外側に形成したことを特徴とする請求項１記載の外装板の巻き付け構造。
【請求項３】
切込みは２か所であり、隣り合う外装板のハゼ部と重なり合う内側と隣り合う外装板のハゼ部との境外となる外側に、若しくは、隣り合う外装板のハゼ部と重なり合う内側にのみ形成したことを特徴とする請求項１記載の外装板の巻き付け構造。
【請求項４】
ハゼ連結部は、三角形状若しくは四角形状に折り返したことを特徴とする請求項１から３のいずれかに記載の外装板の巻き付け構造。
【請求項５】
切込みは、隣り合う外装板の一方のハゼ部と重なり合う状態若しくは隣り合う外装板の両方のハゼ部と重なり合う状態で形成したことを特徴とする請求項１から４のいずれかに記載の外装板の巻き付け構造。
【発明の詳細な説明】
【技術分野】
【０００１】
本願発明は、板材を配管の長手方向に連接するように巻き付ける外装板の巻き付け構造に関するものである。
【背景技術】
【０００２】
図１４に図示するように、工場やプラントなどの配管設備では、保温材・断熱材８０を取り付けた配管７０の外周に板材を巻き付けて外装板９０としている。
従来の外装板の巻き付け構造は、図１５に図示するように、外装板９０の配管長手方向の両端部を鋭角（略レ字形）に折曲してハゼ部９１，９２を形成し、このハゼ部９１，９２を相互に係合させるとともに（図１５（ａ））、隣り合う外装板９０のハゼ部９１，９２の一部も重ね合わせるようにして係合させるものである（図１５（ｂ）及び（ｃ））。
【０００３】
この従来の外装板の巻き付け構造に基づいた先行技術文献として、下記に示す特許文献１がある。
この特許文献１は、金属薄板の事前折りや接合手順の工夫により、現場での被覆金属の折曲げ回数を少なくし、かつ良好な接合を可能とすることを目的として、金属薄板を事前に折り曲げ、一側端に内向き折曲部を、他側端に外向き折曲部を形成しておき、外向き折曲部は完全には折り返さず、内向き折曲部の折り返し長さを外向き折曲部の折り返し長さに比べ短くし、被覆金属を鋼管に巻き付けて、内向き折曲部の先端を外向き折曲部の先端に係合しながら、外向き折曲部の折曲位置を支点として係合部をかしめつつ、鋼管の表面側へ押し潰すような形で折り曲げ、はぜ継ぎによる接合部を形成するものである。
【先行技術文献】
【特許文献】
【０００４】
【特許文献１】特開平８−１２０６６８号公報
【発明の概要】
【発明が解決しようとする課題】
【０００５】
しかしながら、上記従来技術においては、屋外で強風を受けた場合、外装板が外れたり（外装板のハゼ部が外れる）、外装板がズレたりする被害が発生している。これによって、「プラントの操業停止」や「災害の発生」といった重大な問題に発展する危険性を備えている。
【０００６】
そこで、本願発明は、上記課題を解決するために、外装板の外れやズレを防止する新規な「外装板の巻き付け構造」の提供を目的として開発されたものである。
【課題を解決するための手段】
【０００７】
本願発明の第１の発明は、板材を配管の長手方向に連接するように巻き付ける外装板の巻き付け構造であって、各外装板の配管長手方向の両端部は、鋭角に折曲して相互に係合可能なハゼ部と、隣り合う外装板と配管周方向の端部を重ねながら、ハゼ部に１又は２か所の切込みを形成し、この切込みを介して重なったハゼ部の一部分を折り返したハゼ連結部とを備えたことを特徴とするものである。
第２の発明は、切込みが１か所であり、隣り合う外装板のハゼ部と重なり合う内側若しくは隣り合う外装板のハゼ部との境外となる外側に形成したことを特徴とする同外装板の巻き付け構造である。
第３の発明は、切込みが２か所であり、隣り合う外装板のハゼ部と重なり合う内側と隣り合う外装板のハゼ部との境外となる外側に、若しくは、隣り合う外装板のハゼ部と重なり合う内側にのみ形成したことを特徴とする同外装板の巻き付け構造である。
第４の発明は、ハゼ連結部が、三角形状若しくは四角形状に折り返したことを特徴とする同外装板の巻き付け構造である。
第５の発明は、切込みが、隣り合う外装板の一方のハゼ部と重なり合う状態若しくは隣り合う外装板の両方のハゼ部と重なり合う状態で形成したことを特徴とする同外装板の巻き付け構造である。
【発明の効果】
【０００８】
上記する本願発明によれば、以下のような効果を有する。
（１）板材を配管の長手方向に連接するように巻き付ける外装板の巻き付け構造にあって、各外装板の配管長手方向の両端部は、鋭角に折曲して相互に係合可能なハゼ部と、隣り合う外装板と配管周方向の端部を重ねながら、ハゼ部に１又は２か所の切込みを形成し、この切込みを介して重なったハゼ部の一部分を折り返したハゼ連結部とを備えることで、ハゼ連結部がハゼ部を固定し、ハゼ部の離反やズレを防止する。
（２）切込みが１か所であり、隣り合う外装板のハゼ部と重なり合う内側若しくは隣り合う外装板のハゼ部との境外となる外側に形成することで、極めて簡単にハゼ連結部を設けることができる。
（３）切込みが２か所であり、隣り合う外装板のハゼ部と重なり合う内側と隣り合う外装板のハゼ部との境外となる外側に、若しくは、隣り合う外装板のハゼ部と重なり合う内側にのみ形成することで、極めて確実にハゼ連結部を設けることができる。
（４）ハゼ連結部が、三角形状若しくは四角形状に折り返すことで、極めて簡単且つ確実にハゼ連結部を設けることができる。
（５）切込みが、隣り合う外装板の一方のハゼ部と重なり合う状態で形成することで、
隣り合う外装材のもう一方のハゼ部を最後に重ね合わせることになり、外観上ハゼ連結部は隠れて美観的に優れたものとなる。また、切込みが、隣り合う外装板の両方のハゼ部と重なり合う状態で形成することで、極めて確実にハゼ連結部を設けることができる。
【図面の簡単な説明】
【０００９】
【図１】本願発明の実施例１を示す説明図。
【図２】本願発明の実施例２を示す説明図。
【図３】本願発明の実施例３−１を示す説明図。
【図４】本願発明の実施例３−２を示す説明図。
【図５】本願発明の実施例３−３を示す説明図。
【図６】本願発明の実施例４−１を示す説明図。
【図７】本願発明の実施例４−２を示す説明図。
【図８】本願発明の実施例４−３を示す説明図。
【図９】本願発明の実施例５を示す説明図。
【図１０】本願発明の実施例６を示す説明図。
【図１１】本願発明と従来技術の比較試験（１）。
【図１２】本願発明と従来技術の比較試験（２）。
【図１３】本願発明と従来技術の比較試験（３）。
【図１４】従来技術を示す説明図（１）。
【図１５】従来技術を示す説明図（２）。
【発明を実施するための形態】
【００１０】
本願発明の外装板の巻き付け構造に係る実施例を図面に基づいて説明する。
図１は、本願発明の実施例１を示す説明図である。
実施例１は、次のような外装板の巻き付け構造になっている。
（１）まず、図１（ａ）に示すように、外装板１０の配管長手方向の両端部を鋭角（略レ字形）に折曲して形成したハゼ部１１，１２を備え、このハゼ部１１，１２を重ねて相互に係合させる。
（２）次に、図１（ｂ）に示すように、隣り合う外装板１３の一方のハゼ部１４も重ね合わせる。
（３）そして、図１（ｃ）に示すように、隣り合う外装板１３のハゼ部１４との境外となる外側に切込み１６を形成する。
（４）さらに、図１（ｄ）に示すように、この切込み１６を介して重なったハゼ部１１，１２，１４の一部分を三角形状に折り返したハゼ連結部１７を備える。このハゼ連結部１７がハゼ部１１，１２，１４を固定し、ハゼ部の離反やズレを防止する。
（５）その後、図１（ｅ）に示すように、隣り合う外装板１３のもう一方のハゼ部１５も重ね合わせる。
（６）すると、図１（ｆ）に示すように、外観上ハゼ連結部１７は隠れて美観的に優れたものとなる。
【００１１】
図２は、本願発明の実施例２を示す説明図である。
実施例２は、次のような外装板の巻き付け構造になっている。
（１）まず、図２（ａ）に示すように、外装板２０の配管長手方向の両端部を鋭角（略レ字形）に折曲して形成したハゼ部２１，２２を備え、このハゼ部２１，２２を重ねて相互に係合させる。
（２）次に、図２（ｂ）及び（ｃ）に示すように、隣り合う外装板２３のハゼ部２４，２５も重ね合わせる。
（３）そして、図２（ｄ）に示すように、隣り合う外装板２３のハゼ部２４，２５との境外となる外側に切込み２６を形成する。
（４）さらに、図２（ｅ）及び（ｆ）に示すように、この切込み２６を介して重なったハゼ部２１，２２，２４，２５の一部分を三角形状に折り返したハゼ連結部２７を備える。このハゼ連結部２７がハゼ部２１，２２，２４，２５を固定し、ハゼ部の離反やズレを防止を確実なものとする。
【００１２】
図３は、本願発明の実施例３−１を示す説明図である。
実施例３−１は、次のような外装板の巻き付け構造になっている。
（１）まず、図３（ａ）に示すように、外装板３０の配管長手方向の両端部を鋭角（略レ字形）に折曲して形成したハゼ部３１，３２を備え、このハゼ部３１，３２を重ねて相互に係合させる。
（２）次に、図３（ｂ）に示すように、隣り合う外装板３３の一方のハゼ部３４も重ね合わせる。
（３）そして、図３（ｃ）に示すように、隣り合う外装板３３のハゼ部３４と重なり合う内側に切込み３６を形成する。
（４）さらに、図３（ｄ−１）〜（ｄ−３）に示すように、この切込み３６を介して重なったハゼ部３１，３２，３４の一部分を折り返したハゼ連結部３７を備える。このハゼ連結部３７がハゼ部３１，３２，３４を固定し、ハゼ部の離反やズレを防止する。
（５）すなわち、図３（ｄ−１）では、この切込み３６を介して重なったハゼ部３１，３２，３４の（ア）を三角形状に折り返したハゼ連結部３７（ア）を備える。
（６）図３（ｄ−２）では、この切込み３６を介して重なったハゼ部３１，３２，３４の（イ）を三角形状に折り返したハゼ連結部３７（イ）を備える。
（７）図３（ｄ−３）では、この切込み３６を介して重なったハゼ部３１，３２，３４の（ア）及び（イ）をともに三角形状に折り返したハゼ連結部３７（ア）（イ）を備える。
（８）その後、図３（ｅ）に示すように、隣り合う外装板３３のもう一方のハゼ部３５も重ね合わせる。すると、外観上ハゼ連結部３７は隠れて美観的に優れたものとなる。
【００１３】
図４は、本願発明の実施例３−２を示す説明図である。
実施例３−２は、次のような外装板の巻き付け構造になっている。
（１）まず、図４（ａ）に示すように、外装板３０の配管長手方向の両端部を鋭角（略レ字形）に折曲して形成したハゼ部３１，３２を備え、このハゼ部３１，３２を重ねて相互に係合させる。
（２）次に、図４（ｂ）に示すように、隣り合う外装板３３の一方のハゼ部３４も重ね合わせる。
（３）そして、図４（ｃ）に示すように、隣り合う外装板３３のハゼ部３４との境外となる外側に切込み３６Ａと、ハゼ部３４と重なり合う内側に切込み３６Ｂを形成する。
（４）次に、図４（ｄ−１）〜（ｄ−３）に示すように、この切込み３６Ａ及び３６Ｂを介して重なったハゼ部３１，３２，３４の一部分を折り返したハゼ連結部３８を備える。このハゼ連結部３８がハゼ部３１，３２，３４を固定し、ハゼ部の離反やズレを防止する。
（５）すなわち、図４（ｄ−１）では、この切込み３６Ａ及び３６Ｂを介して重なったハゼ部３１，３２，３４の（ア）を四角形状に折り返したハゼ連結部３８（ア）を備える。
（６）図４（ｄ−２）では、この切込み３６Ａ及び３６Ｂを介して重なったハゼ部３１，３２，３４の（ア）を四角形状に折り返し（イ）を三角形状に折り返したハゼ連結部３８（ア）（イ）を備える。
（７）図４（ｄ−３）では、この切込み３６Ａ及び３６Ｂを介して重なったハゼ部３１，３２，３４の（ア）及び（イ）をともに三角形状に折り返したハゼ連結部３８（ア）（イ）を備える。
（８）その後、図４（ｅ）に示すように、隣り合う外装板３３のもう一方のハゼ部３５も重ね合わせる。すると、外観上ハゼ連結部３８は隠れて美観的に優れたものとなる。
【００１４】
図５は、本願発明の実施例３−３を示す説明図である。
実施例３−３は、次のような外装板の巻き付け構造になっている。
（１）まず、図５（ａ）〜図５（ｃ）は、実施例３−２の図４（ａ）〜図４（ｃ）と同一であるので、その説明を省略する。
（２）次に、図５（ｄ−１）及び（ｄ−２）に示すように、この切込み３６Ａ及び３６Ｂを介して重なったハゼ部３１，３２，３４の一部分を折り返したハゼ連結部３９を備える。このハゼ連結部３９がハゼ部３１，３２，３４を固定し、ハゼ部の離反やズレを防止する。
（３）すなわち、図５（ｄ−１）では、この切込み３６Ａ及び３６Ｂを介して重なったハゼ部３１，３２，３４の（ア）を２か所三角形状に折り返したハゼ連結部３９（ア）を備える。
（４）図５（ｄ−２）では、この切込み３６Ａ及び３６Ｂを介して重なったハゼ部３１，３２，３４の（ア）を２か所三角形状に折り返し（イ）を三角形状に折り返したハゼ連結部３９（ア）（イ）を備える。
（５）その後、図５（ｅ）に示すように、隣り合う外装板３３のもう一方のハゼ部３５も重ね合わせる。すると、外観上ハゼ連結部３９は隠れて美観的に優れたものとなる。
【００１５】
図６は、本願発明の実施例４−１を示す説明図である。
実施例４−１は、次のような外装板の巻き付け構造になっている。
（１）まず、図６（ａ）に示すように、外装板４０の配管長手方向の両端部を鋭角（略レ字形）に折曲して形成したハゼ部４１，４２を備え、このハゼ部４１，４２を重ねて相互に係合させる。
（２）次に、図６（ｂ）及び（ｃ）に示すように、隣り合う外装板４３のハゼ部４４，４５も重ね合わせる。
（３）そして、図６（ｄ）に示すように、隣り合う外装板４３のハゼ部４４，４５と重なり合う内側に切込み４６を形成する。
（４）さらに、図６（ｅ−１）〜（ｅ−３）に示すように、この切込み４６を介して重なったハゼ部４１，４２，４４，４５の一部分を折り返したハゼ連結部４７を備える。このハゼ連結部４７がハゼ部４１，４２，４４，４５を固定し、ハゼ部の離反やズレを防止を確実なものとする。
（５）すなわち、図６（ｅ−１）では、この切込み４６を介して重なったハゼ部４１，４２，４４，４５の（カ）を三角形状に折り返したハゼ連結部４７（カ）を備える。
（６）図６（ｅ−２）では、この切込み４６を介して重なったハゼ部４１，４２，４４，４５の（キ）を三角形状に折り返したハゼ連結部４７（キ）を備える。
（７）図６（ｅ−３）では、この切込み４６を介して重なったハゼ部４１，４２，４４，４５の（カ）及び（キ）をともに三角形状に折り返したハゼ連結部４７（カ）（キ）を備える。
【００１６】
図７は、本願発明の実施例４−２を示す説明図である。
実施例４−２は、次のような外装板の巻き付け構造になっている。
（１）まず、図７（ａ）〜図７（ｃ）は、実施例４−１の図６（ａ）〜図４（ｃ）と同一であるので、その説明を省略する。
（２）次に、図７（ｄ）に示すように、隣り合う外装板４３のハゼ部４４，４５と重なり合う内側に２か所切込み４６Ａ及び４６Ｂを形成する。
（３）そして、図７（ｅ−１）〜（ｅ−３）に示すように、この切込み４６Ａ及び４６Ｂを介して重なったハゼ部４１，４２，４４，４５の一部分を折り返したハゼ連結部４８を備える。このハゼ連結部４８がハゼ部４１，４２，４４，４５を固定し、ハゼ部の離反やズレを防止を確実なものとする。
（４）すなわち、図７（ｅ−１）では、この切込み４６Ａ及び４６Ｂを介して重なったハゼ部４１，４２，４４，４５の（カ）を四角形状に折り返したハゼ連結部４８（カ）を備える。
（５）図７（ｅ−２）では、この切込み４６Ａ及び４６Ｂを介して重なったハゼ部４１，４２，４４，４５の（カ）を四角形状に折り返し（キ）を三角形状に折り返したハゼ連結部４８（カ）（キ）を備える。
（６）図７（ｅ−３）では、この切込み４６Ａ及び４６Ｂを介して重なったハゼ部４１，４２，４４，４５の（カ）及び（キ）をともに三角形状に折り返したハゼ連結部４８（カ）（キ）を備える。
【００１７】
図８は、本願発明の実施例４−３を示す説明図である。
実施例４−３は、次のような外装板の巻き付け構造になっている。
（１）まず、図８（ａ）〜図８（ｄ）は、実施例４−２の図７（ａ）〜図７（ｄ）と同一であるので、その説明を省略する。
（２）そして、図８（ｅ−１）及び（ｅ−２）に示すように、この切込み４６Ａ及び４６Ｂを介して重なったハゼ部４１，４２，４４，４５の一部分を折り返したハゼ連結部４９を備える。このハゼ連結部４９がハゼ部４１，４２，４４，４５を固定し、ハゼ部の離反やズレを防止を確実なものとする。
（３）すなわち、図８（ｅ−１）では、この切込み４６Ａ及び４６Ｂを介して重なったハゼ部４１，４２，４４，４５の（カ）を２か所三角形状に折り返したハゼ連結部４９（カ）を備える。
（４）図８（ｅ−２）では、この切込み４６Ａ及び４６Ｂを介して重なったハゼ部４１，４２，４４，４５の（カ）を２か所三角形状に折り返し（キ）を三角形状に折り返したハゼ連結部４９（カ）（キ）を備える。
【００１８】
図９は、本願発明の実施例５を示す説明図である。
実施例５は、次のような外装板の巻き付け構造になっている。
（１）まず、図９（ａ）に示すように、外装板５０の配管長手方向の両端部を鋭角（略レ字形）に折曲して形成したハゼ部５１，５２を備え、このハゼ部５１，５２を重ねて相互に係合させる。
（２）次に、図９（ｂ）に示すように、隣り合う外装板５３の一方のハゼ部５４も重ね合わせる。
（３）そして、図９（ｃ）に示すように、隣り合う外装板５３のハゼ部５４と重なり合う内側に２か所切込み５６Ａ及び５６Ｂを形成する。
（４）さらに、図９（ｄ−１）〜（ｄ−３）に示すように、この切込み５６Ａ及び５６Ｂを介して重なったハゼ部５１，５２，５４の一部分を折り返したハゼ連結部５７を備える。このハゼ連結部５７がハゼ部５１，５２，５４を固定し、ハゼ部の離反やズレを防止する。
（５）すなわち、図９（ｄ−１）では、この切込み５６Ａ及び５６Ｂを介して重なったハゼ部５１，５２，５４の（サ）を四角形状に折り返したハゼ連結部５７（サ）を備える。
（６）図９（ｄ−２）では、この切込み５６Ａ及び５６Ｂを介して重なったハゼ部５１，５２，５４の（シ）及び（ス）をともに三角形状に折り返したハゼ連結部５７（シ）（ス）を備える。
（７）図９（ｄ−３）では、この切込み５６Ａ及び５６Ｂを介して重なったハゼ部５１，５２，５４の（サ）を四角形状に折り返し（シ）及び（ス）をともに三角形状に折り返したハゼ連結部５７（サ）（シ）（ス）を備える。
（８）その後、図９（ｅ）に示すように、隣り合う外装板５３のもう一方のハゼ部５５も重ね合わせる。すると、外観上ハゼ連結部５７は隠れて美観的に優れたものとなる。
【００１９】
図１０は、本願発明の実施例６を示す説明図である。
実施例６は、次のような外装板の巻き付け構造になっている。
（１）まず、図１０（ａ）に示すように、外装板６０の配管長手方向の両端部を鋭角（略レ字形）に折曲して形成したハゼ部６１，６２を備え、このハゼ部６１，６２を重ねて相互に係合させる。
（２）次に、図１０（ｂ）及び（ｃ）に示すように、隣り合う外装板６３のハゼ部６４，６５も重ね合わせる。
（３）そして、図１０（ｄ）に示すように、隣り合う外装板６３のハゼ部６４，６５と重なり合う内側に２か所切込み６６Ａ及び６６Ｂを形成する。
（４）さらに、図１０（ｅ−１）〜（ｅ−３）に示すように、この切込み６６Ａ及び６６Ｂを介して重なったハゼ部６１，６２，６４，６５の一部分を折り返したハゼ連結部６７を備える。このハゼ連結部６７がハゼ部６１，６２，６４，６５を固定し、ハゼ部の離反やズレを防止する。
（５）すなわち、図１０（ｅ−１）では、この切込み６６Ａ及び６６Ｂを介して重なったハゼ部６１，６２，６４，６５の（タ）を四角形状に折り返したハゼ連結部６７（タ）を備える。
（６）図１０（ｅ−２）では、この切込み６６Ａ及び６６Ｂを介して重なったハゼ部６１，６２，６４，６５の（チ）及び（ツ）をともに三角形状に折り返したハゼ連結部６７（タ）（チ）を備える。
（７）図１０（ｅ−３）では、この切込み６６Ａ及び６６Ｂを介して重なったハゼ部６１，６２，６４，６５の（タ）を四角形状に折り返し（チ）及び（ツ）をともに三角形状に折り返したハゼ連結部６７（タ）（チ）（ツ）を備える。
【００２０】
次に、本願発明の外装板の巻き付け構造（本願発明）と従来の外装板の巻き付け構造（従来技術）との比較試験について説明する。
図１１に示す試験片（１）は、従来の外装板の巻き付け構造（従来技術）であり、矩形状の試験片の両端部を鋭角（略レ字形）に折曲してハゼ部を形成し、このハゼ部を重ねて相互に係合させたものである。
図１１に示す試験片（２）は、本願発明の外装板の巻き付け構造（本願発明）であり、試験片（１）の係合するハゼ部に切込みを入れてハゼ連結部を備えたものである。
【００２１】
図１２と図１３は、図１１に図示した試験片（１）と（２）の強度試験（試験片を引っ張ってハゼ部の状況を検証する試験）の結果を示したものである。ここで、図１２は、ハゼ部の最大強度を測定した結果であり、図１３は、応力ひずみ曲線をグラフにしたものである。
【００２２】
この試験結果から、以下のことが導き出せた。
（１）従来技術は、ハゼの開き始めが最大応力になる（その時点では外れない）。すなわち、ハゼが開き始める力よりも外れる力が小さいため、開き始めると外れるのは時間の問題となる。
（２）板厚（ｔ）が大きくなるに従い、ハゼ強度は増す。すなわち、０．３ｔを１とすると、０．３５は約１．５倍、０．４は約２倍になる。
（３）本願発明は、ハゼの開き始めに応力の第１ピークがあり、その後ハゼが開ききった段階で最大応力となる（その時点では外れない）。すなわち、ハゼが開いても、外れるためにはさらに強い力が必要になる（従来技術のように、開き始めると外れるのは時間の問題となることはない）。
（４）本願発明のハゼ連結部を設けた箇所は強度が増し、従来技術に対して約５倍の強度となる。
（５）本願発明の第１ピーク値は、従来技術の最大応力よりも大きい（ハゼ連結部によりハゼ部の起き上がり防止効果が期待できる）。
【産業上の利用可能性】
【００２３】
本願発明は、工場やプラントなどの配管設備において、板材を配管の長手方向に連接するように巻き付ける外装板の巻き付け構造に利用できるものであるが、外装板の巻き付けだけでなく、ハゼ部を備えた構造において広く利用できるものである。
【符号の説明】
【００２４】
１０  外装板
１１  ハゼ部
１２  ハゼ部
１３  外装板
１４  ハゼ部
１５  ハゼ部
１６  切込み
１７  ハゼ連結部（ハゼ殺し部）
【図１】
2014059006.tif 000003
【図２】
2014059006.tif 000004
【図３】
2014059006.tif 000005
【図４】
2014059006.tif 000006
【図５】
2014059006.tif 000007
【図６】
2014059006.tif 000008
【図７】
2014059006.tif 000009
【図８】
2014059006.tif 000010
【図９】
2014059006.tif 000011
【図１０】
2014059006.tif 000012
【図１１】
2014059006.tif 000013
【図１２】
2014059006.tif 000014
【図１３】
2014059006.tif 000015
【図１４】
2014059006.tif 000016
【図１５】
2014059006.tif 000017